(57)【要約】      （修正有）【課題】スチーム噴出界面がデスクから離れて、より高い安全性があり、加湿器やアイロン等に使用機能が拡張可能で、多目的に使用できるスチームブラシを提供する。【解決手段】スチームブラシは、そのケース体１に貯水タンクと、水ポンプ１７と、電気加熱装置１１とが設置する。前記ケース体に設置されたスイッチ９はラインコード５と、電気加熱装置と接続し、前記ケース体は筒状で、スチーム噴出界面が前記ケース体の上面に設置され、一つのホルダーは取り外し可能に前記ケース体を支持する。そのスチーム噴出界面はデスクから離れて、より高い安全性があり、その上、前記スチームブラシの使用機能が拡張可能で、加湿器として、電気アイロンとして、顔蒸しの美容装置として使用してもよく、多目的に使用できる。【選択図】図１
0003168604.tif 000002
【実用新案登録請求の範囲】
【請求項１】
ケース体に貯水タンクと、水ポンプと、電気加熱装置とが設置され、前記ケース体に設置されたスイッチはラインコードと、電気加熱装置と接続し、前記ケース体は筒状で、スチーム噴出界面が前記ケース体の上面に設置され、一つのホルダーは取り外し可能に前記ケース体を支持する、スチームブラシ。
【請求項２】
前記貯水タンクは前記ケース体の下部に位置し、前記電気加熱装置は前記ケース体の上部に位置し、前記水ポンプは電気水ポンプで、その上、前記水タンクと、前記電気加熱装置との間に設置され、前記スイッチは多段階スイッチで、その上、前記水ポンプと接続するようにしたことを特徴とする、請求項１記載のスチームブラシ。
【請求項３】
前記ケース体のスチーム噴出界面は高熱伝導性材料から製造され、その上、電気加熱装置と直接に接続するようにしたことを特徴とする、請求項２記載のスチームブラシ。
【請求項４】
前記ケース体のスチーム噴出界面の外側には顔蒸しマスクが取り外す可能に装着するようにしたことを特徴とする、請求項１あるいは請求項２あるいは請求項３記載のスチームブラシ。
【請求項５】
前記ホルダーには巻き取り装置が設置され、ラインコードを巻き取るようにしたことを特徴とする、請求項１あるいは請求項２あるいは請求項３記載のスチームブラシ。
【請求項６】
前記ケース体のスチーム噴出界面と、前記ケース体の軸線との傾斜角度は３０度〜６０度であるようにしたことを特徴とする、請求項１あるいは請求項２あるいは請求項３記載のスチームブラシ。
【考案の詳細な説明】
【技術分野】
【０００１】
本考案は家電製品に関する、特に電気加熱装置付きの家電製品に関する。
【背景技術】
【０００２】
従来のスチームブラシにはハンドル付きのアイロン式のケース体がある。前記ケース体には水タンクと、水ポンプと、電気加熱装置とが設置され、前記ケース体に設置されたスイッチは電源と、電気加熱装置と接続する。スイッチの制御によって、電源は電気加熱装置に電力を供給する。水ポンプの操作用アームを押し付け、水ポンプは水タンクから水をポンプし、電気加熱装置まで供給し、電気加熱装置で加熱された水はスチームに変えて、ケース体底部のスチーム出口から外へ噴出する。前記ケース体の底部にはブラシが設置され、スチームと合わせて、衣服を処理する。だが、従来のスチームブラシには以下の問題が残り、１）使用する途中で、水平方向になってデスクに放置するだけで、スチーム噴出界面がデスクに近づき、デスクを破壊しやすく、安全性がひくく、２）単機能で、多目的に使用でき、貯蔵スペースを節約するという要望を実現することができない。
【考案の概要】
【考案が解決しようとする課題】
【０００３】
本考案の目的として、一種のスチームブラシを提供し、そのスチーム噴出界面はデスクから離れて、より高い安全性があり、その上、前記スチームブラシの使用機能が拡張可能で、多目的に使用できる。
【課題を解決するための手段】
【０００４】
本考案は以下の技術手段を採用し、
スチームブラシでは、そのケース体には貯水タンクと、水ポンプと、電気加熱装置とが設置され、前記ケース体に設置されたスイッチはラインコードと、電気加熱装置と接続し、前記ケース体は筒状で、スチーム噴出界面が前記ケース体の上面に設置され、一つのホルダーは取り外す可能に前記ケース体を支持する。使用すると、ケース体を持て、ケース体と、内部の貯水タンクと、水ポンプと、電気加熱装置とから組み合わせた本体をホルダーから取り外し、衣服が処理できる。作業の途中や作業した後で、本体をホルダーの上で放置し、ホルダーの支持することによって、ケース体のスチーム噴出界面がデスクから離れて、より高い安全性がある。
【０００５】
前記貯水タンクは前記ケース体の下部に位置し、前記電気加熱装置は前記ケース体の上部に位置し、前記水ポンプは電気水ポンプで、その上、前記水タンクと、前記電気加熱装置との間に設置され、前記スイッチは多段階スイッチで、その上、前記水ポンプと接続する。本考案では、電気ポンプと、多段階スイッチとを使用し、多段階のスチームを噴出することができ、処理可能な衣服範囲が広くなり、その上、操作しやすい。
【０００６】
前記ケース体のスチーム噴出界面は高熱伝導性材料から製造され、その上、電気加熱装置と直接に接続する。こうして、多段階スイッチと、電気加熱装置と、水ポンプと合わせて、そして、スチーム噴出界面を利用して、衣服がアイロンできる。
【０００７】
前記ケース体のスチーム噴出界面の外側には顔蒸しマスクが取り外す可能に装着する。顔にスチームを当てて、美容装置として使用できる。
【０００８】
前記ホルダーには巻き取り装置が設置され、ラインコードを巻き取る。作業の途中や作業した後で、本体をホルダーに放置し、ラインコードをホルダーの巻き取り装置に巻き取り、きれいで、その上、ラインコードは人の活動に邪魔しない。
【０００９】
前記ケース体のスチーム噴出界面と、前記ケース体の軸線との傾斜角度は３０度〜６０度である。使用者の習慣角度に基づき、衣服が便利に処理できる。
【００１０】
本考案のスチームブラシのケース体は筒状で、スチーム噴出界面は前記ケース体の上面に設置され、一つのホルダーが取り外す可能に前記ケース体を支持する。ケース体のスチーム噴出界面はデスクから離れて、より高い安全性がある。ケース体と、水タンクと、水ポンプと、電気加熱装置とから組み合わせた本体の構造がしっかりとまとめて、使いやすい。電気ポンプと、多段階スイッチとを使用し、多段階のスチームが噴出でき、処理可能な衣服範囲が広くなり、それに、操作しやすい。ケース体のスチーム噴出界面は高熱伝導性材料から製造され、その上、電気加熱装置と直接に接続し、前記本体のスチーム噴出界面を水平方向に押し付け、衣服をアイロンし、電気アイロンとして使用される。ケース体のスチーム噴出界面の外側に顔蒸しマスクを装着し、美容装置として使用される。本体をホルダーに放置すると、加湿器として使用される。多目的に使用できる。その全体の外観は特別で、装飾効果がよい。ホルダーにはラインコードの巻き取り装置が設置され、ラインコードは人の活動に邪魔しなく、ケース体のスチーム噴出界面と、前記ケース体の軸線との傾斜角度は３０度〜６０度で、使用者の習慣角度に基づき、衣服を便利に処理できる。
【図面の簡単な説明】
【００１１】
【図１】本考案の一つの好ましい実施例におけるスチームブラシの断面図を示す。
【図２】図１の実施例の立体図を示す。
【図３】図１の実施例の本体の立体図を示す。
【図４】図１の実施例の本体の背面図を示す。
【図５】図１の実施例のブラシの立体図を示す。
【図６】図１の実施例のホルダーの立体図を示す。
【図７】ほかの面から、図１の実施例のホルダーの立体図を示す。
【図８】図１の実施例に添付されたマスクの立体図を示す。
【図９】マスクを装着した後の図１の実施例の立体図を示す。
【考案を実施するための形態】
【００１２】
本考案のスチームブラシの一つの好ましい実施例の構造は図１と、図２とにしめすように、前記スチームブラシには一つの本体１と、一つのホルダー２と、一つのブラシ３とがある。
【００１３】
図１と、図３と、図４とに示すように、本体１のケース体は筒状の上ケース体８と、結合環７と、筒状の下ケース体６とから組み合わせる。結合環７によって、上ケース体８と、下ケース体６とを一体に形成させる。
【００１４】
上ケース体８は円弧筒で、その上部は下部より大きい。上ケース体８内の下部には水ポンプ１７と、コントロールパネル１０とが設置され、コントロールパネル１０に設置されたボタン式のスイッチ９が上ケース体８の後壁から引き出す。上ケース体８内の上部には支持体１６と、電気加熱装置１１とが設置される。水ポンプ１４の水出口はパイプを経由して電気加熱装置１１と接続する。電気加熱装置１１には温度自動調節器１２が配置される。コントロールパネル１０はボタン式のスイッチ９と合わせて、多段階スイッチに形成し、ラインコード５と、水ポンプ１７と接続し、そして、温度自動調節器１２を経由し、電気加熱装置１１とつながる。上ケース体８の上面にはスチーム噴出界面―スチームカバー１３が設置され、スチームカバー１３には複数個のスチーム出口が開設される。スチームカバー１３は高熱伝導性のアルミニウム材料から製造され、その上、電気加熱装置１１と接続する。スチームカバー１３の作業面と、上ケース体８の軸線との傾斜角度は３０度〜６０度である。
【００１５】
下ケース体６は円弧筒で、その上部は下部より小さい。下ケース体６の底部６１には水入口と、密封カバー６２とが設置され、下ケース体６を水タンクに形成させる。下ケース体６の上面にはホールが開設し、水ポンプ１７の水入口に装着されたパイプはこのホールを経由して、前記水タンクまで伸ばす。ラインコード５は下ケース体６前部に設置された管路を通して、上ケース体８まで入る。ホルダー２に挿入するために、下ケース体６下部６３の外表面は円柱状である。
【００１６】
図６と、図７とに示すように、ホルダー２は扁平なホルン状で、その大端部は下向きで、下ケース体６を挿入するために、ホルダー２上部の中央には一つの円形溝２０１が開設される。ホルダー２には巻き取り装置２０３が設置され、その前側には一つの開口２０２が開設される。前記開口２０２によって、ラインコード５を巻き取り装置２０３に巻き取らせる。
【００１７】
ブラシ３の構造は図５に示すように、ブラシ５の本体は環形で、上半部の外表面には一列の剛毛が設置され、下半部には一つの板が設置され、前記半円状板の外表面には一つの布製の静電気防止カバー３１が設置される。
【００１８】
本実施例はスチームブラシとして使用されると、図２に示すように、ブラシ３を本体１上端のスチームカバー１３に挿入する。
【００１９】
普通には、本体１をホルダー２に挿入し、ホルダー２が取り外す可能に本体１を支持する。
【００２０】
使用すると、本体１を握って、本体１をホルダー２から取り外す。スイッチ９を押し、コントロールパネル１０は選択段階に従って、電源を制御し、電気加熱装置１１と、水ポンプ１７とに電力を供給する。コントロールパネル１０の異なった段階を選択することによって、温度自動調節器１２の設定温度と、水ポンプ１７の水供給量が調整できる。コントロールパネル１０の制御によって、水ポンプ１７は水タンクから水をポンプし、電気加熱装置１１まで供給し、電気加熱装置１１で加熱された水はスチームに変えて、本体１上部のスチームカバー１３のスチーム出口から外へ噴出する。ブラシ３はスチームと協力し、衣服を処理する。いったん電気加熱盤１１は設定温度に達すると、自動的に加熱することを止める。水ポンプ１７は段階に従って、水を供給し、スチーム噴出量の大きさが調整できる。
【００２１】
本実施例は加湿器として使われてもよく、図２に示すように、本体１をホルダー２に挿入し、スイッチ９を押し、コントロールパネル１０は選択段階に従って、電源を制御し、電気加熱装置１１と、水ポンプ１７とに電力を供給する。コントロールパネル１０の制御によって、水ポンプ１７は水タンクから水をポンプし、電気加熱装置１１まで供給し、電気加熱装置１１で加熱された水はスチームに変えて、本体１上部のスチームカバー１３のスチーム出口から外へ噴出し、室内を加湿する。コントロールパネル１０の異なった段階を選択することによって、スチーム噴出量の大きさが調整できる。
【００２２】
本実施例は電気アイロンとして使われてもよく、図３に示すように、ブラシ３を本体１上端のスチームカバー１３から取り外す。
【００２３】
普通には、本体１をホルダー２に挿入し、ホルダー２が取り外す可能に本体１を支持する。
【００２４】
使用すると、本体１を握って、本体１をホルダー２から取り外す。スイッチ９を押し、コントロールパネル１０は選択段階に従って、電源を制御し、電気加熱装置１１に電力を供給する。電気加熱装置１１で加熱されたスチームカバー１３の表面温度は１００度より高く、この温度では、衣服繊維が柔らかくなる。スチームカバー１３を水平方向に押し付け、衣服をアイロンする。
【００２５】
または、スイッチ９を押し、コントロールパネル１０は選択段階に従って、電源を制御し、電気加熱装置１１と、水ポンプ１７とに電力を供給する。コントロールパネル１０の制御によって、水ポンプ１７は水タンクから水をポンプし、電気加熱装置１１まで供給し、電気加熱装置１１で加熱された水はスチームに変えて、本体１上部のスチームカバー１３のスチーム出口から外へ噴出する。スチームカバー１３を水平方向に押し付け、スチームカバー１３はスチームと協力し、衣服をアイロンする。
【００２６】
そして、本実施例は美容装置として使われても良い。図９に示すように、ブラシ３を本体１上端のスチームカバー１３から取り外す。図８に示された顔蒸しマスク４を本体１上端のスチームカバー１３の外側に装着する。顔蒸しマスク４の下部４１はより小さく、こうして、直接にスチームカバー１３に装着できる。顔蒸しマスク４の上部がより大きく、こうして、この区域のスチーム温度が下がり、スチームが柔らかくなり、顔にスチームを当てることができる。
【００２７】
以上のように、本考案でただ好ましい実施例を開示したが，本考案のデザインアイディアはこれに限定されるものではなく，当業者が，本考案のアイディアと範囲に基づいて色々変形させることは可能であり，それらは本考案の請求項の保護範囲から排除するものではない。
【図１】
0003168604.tif 000003
【図２】
0003168604.tif 000004
【図３】
0003168604.tif 000005
【図４】
0003168604.tif 000006
【図５】
0003168604.tif 000007
【図６】
0003168604.tif 000008
【図７】
0003168604.tif 000009
【図８】
0003168604.tif 000010
【図９】
0003168604.tif 000011
【手続補正書】
【提出日】平成23年4月12日(2011.4.12)
【手続補正１】
【補正対象書類名】実用新案登録請求の範囲
【補正対象項目名】全文
【補正方法】変更
【補正の内容】
【実用新案登録請求の範囲】
【請求項１】
ケース体に貯水タンクと、水ポンプと、電気加熱装置とが設置され、前記ケース体に設置されたスイッチはラインコードと、電気加熱装置と接続し、前記ケース体は筒状で、スチーム噴出界面が前記ケース体の上面に設置され、一つのホルダーは取り外し可能に前記ケース体を支持し、
前記貯水タンクは前記ケース体内の下部に位置し、前記電気加熱装置は前記ケース体内の上部に位置し、前記水ポンプは電気水ポンプで、前記水タンクと、前記電気加熱装置との間に設置される、スチームブラシ。
【請求項２】
前記スイッチは多段階スイッチで、前記水ポンプと接続するようにしたことを特徴とする、請求項１に記載のスチームブラシ。
【請求項３】
前記ケース体のスチーム噴出界面は高熱伝導性材料から製造され、電気加熱装置と直接に接続するようにしたことを特徴とする、請求項２に記載のスチームブラシ。
【請求項４】
前記ケース体のスチーム噴出界面の外側には顔蒸しマスクが取り外す可能に装着するようにしたことを特徴とする、請求項１あるいは請求項２あるいは請求項３に記載のスチームブラシ。
【請求項５】
前記ホルダーには巻き取り装置が設置され、ラインコードを巻き取るようにしたことを特徴とする、請求項１あるいは請求項２あるいは請求項３に記載のスチームブラシ。
【請求項６】
前記ケース体のスチーム噴出界面と、前記ケース体の軸線との傾斜角度は３０度〜６０度であるようにしたことを特徴とする、請求項１あるいは請求項２あるいは請求項３に記載のスチームブラシ。